(57)【要約】【課題】カードをカード装着端末に対して確実に固定する。【解決手段】カード装着端末１は、表示部本体３が端末本体２に対してスライド移動可能に構成されており、表示部本体３が端末本体２の前端までスライド移動された状態ではカード１００が表示部本体３により覆われると共にキー入力部４が露出され、カード１００がカード収納部５に対して固定されると共に操作者がキー入力部４を操作可能となる。カード装着端末１が持ち替えられる場合であっても、カード１００がカード装着端末１から落下することを防止することができる。【選択図】図１
2008305067.tif 000002
【特許請求の範囲】
【請求項１】
端末本体と、
前記端末本体の表面部に凹状に設けられ、所定形状のカードを収納するカード収納部と、
前記端末本体の表面部に設けられ、操作者の操作を受付ける操作受付部と、
前記カードが前記カード収納部に収納されているときに前記カードに記録されているカード情報を読取るカード情報読取部と、
前記端末本体とは別体に構成され、情報を表示する表示部本体と、
前記表示部本体を前記端末本体の表面部に対してスライド移動させるスライド機構とを備え、
前記カード収納部に収納されている前記カードを覆い且つ前記操作受付部を露出させる位置に前記表示部本体が前記スライド機構によりスライド移動されたときに、そのスライド移動された前記表示部本体により前記カードが前記カード収納部に対して固定されることを特徴とするカード装着端末。
【請求項２】
請求項１に記載したカード装着端末において、
前記表示部本体が前記カード収納部側の端まで前記スライド機構によりスライド移動されたときに、前記カード収納部に収納されている前記カードの一部を露出させるように前記表示部本体が当該カードを覆うことを特徴とするカード装着端末。
【請求項３】
請求項１または２に記載したカード装着端末において、
前記カード収納部の底部に設けられ、他の操作者の操作を受付ける他の操作受付部を備えたことを特徴とするカード装着端末。
【請求項４】
請求項１ないし３のいずれかに記載したカード装着端末において、
前記操作受付部は、タッチパネルを有し、
前記表示部本体は、当該表示部本体が前記スライド機構によりスライド移動されることに追従して前記タッチパネルの表面を拭取る拭取部を有して構成されていることを特徴とするカード装着端末。
【請求項５】
請求項１ないし４のいずれかに記載したカード装着端末において、
前記カード情報読取部は、前記カード収納部に設けられ、接触式ＩＣカードが前記カード収納部に収納されているときに当該接触式ＩＣカードのカード側接触端子と接触する接触端子を有して構成されていることを特徴とするカード装着端末。
【請求項６】
請求項１ないし４のいずれかに記載したカード装着端末において、
前記カード情報読取部は、非接触式ＩＣカードが前記カード収納部に収納されているときに当該非接触式ＩＣカードと無線通信可能な範囲に配置されているアンテナを有して構成されていることを特徴とするカード装着端末。
【請求項７】
請求項１ないし４のいずれかに記載したカード装着端末において、
前記カード情報読取部は、前記表示部本体に設けられ、磁気カードが前記カード収納部に収納されているときに前記表示部本体が前記スライド機構によりスライド移動されることに追従して当該磁気カードの磁気記録部を走査する磁気ヘッドを有して構成されていることを特徴とするカード装着端末。
【請求項８】
請求項１ないし７のいずれかに記載したカード装着端末において、
前記カード収納部の底部に、凹部が形成されていることを特徴とするカード装着端末。
【請求項９】
請求項１ないし７のいずれかに記載したカード装着端末において、
前記カード収納部の底部に、前記端末本体の材質よりも低い反発特性を有する低反発素材が設けられていることを特徴とするカード装着端末。
【請求項１０】
請求項９に記載したカード装着端末において、
前記カード収納部の底部に、前記カードが前記カード収納部に収納されているときに当該カードの前記低反発素材側への沈み込みを防止する支持部材が設けられていることを特徴とするカード装着端末。
【請求項１１】
請求項１ないし１０のいずれかに記載したカード装着端末において、
前記カード収納部に収納されている前記カードが不正であるか否かを判定する不正判定手段と、
前記カード収納部に収納されている前記カードが不正である旨を前記不正判定手段が判定したときに、当該カードを覆う位置からの前記表示部本体のスライド移動を規制する移動規制手段とを備えたことを特徴とするカード装着端末。
【請求項１２】
請求項１ないし１０のいずれかに記載したカード装着端末において、
前記カード収納部に収納されている前記カードが読込み中または書込み中であるか否かを判定する読書判定手段と、
前記カード収納部に収納されている前記カードが読込み中または書込み中である旨を前記読書判定手段が判定したときに、当該カードを覆う位置からの前記表示部本体のスライド移動を規制する移動規制手段とを備えたことを特徴とするカード装着端末。
【発明の詳細な説明】
【技術分野】
【０００１】
本発明は、例えば決済を目的としてカードを装着するカード装着端末に関する。
【背景技術】
【０００２】
従来より、例えば決済を目的としてカードを装着するカード装着端末が供されている。この種のカード装着端末の使用形態としては、例えば店員がカード装着端末を操作して必要事項（商品代金や支払い方法など）を入力した後に、店員が商品購入者から預かったカードをカード装着端末に装着し、続いて店員がカード装着端末を商品購入者に向けて暗証番号の入力を促し、商品購入者がカード装着端末を操作して暗証番号を入力するという使用形態がある。ところで、このように店員が商品購入者から預かったカードをカード装着端末に装着した状態でカード装着端末を商品購入者に向けるという使用形態では、店員がカード装着端末を持ち替える際にカードがカード装着端末から落下する虞があり、使い勝手に劣るという問題があった。
【０００３】
一方、下記の特許文献１には、操作パネル部にダイヤル操作キー群が設けられると共に、本体部に表示部が設けられ、操作パネル部が本体部に対してスライド移動されて前記本体部に収納されることにより、ダイヤル操作が禁止される構成が開示されている（例えば特許文献１参照）。
【特許文献１】特開平１０−２７１１９２号公報
【発明の開示】
【発明が解決しようとする課題】
【０００４】
しかしながら、特許文献１に記載されている技術では、上記したような店員がカード装着端末を持ち替える際にカードがカード装着端末から落下するという問題を解決するには至っていない。
【０００５】
本発明は、上記した事情に鑑みてなされたものであり、その目的は、カードをカード装着端末に対して確実に固定することができ、カードがカード装着端末から落下することを防止することができ、使い勝手を高めることができるカード装着端末を提供することにある。
【課題を解決するための手段】
【０００６】
請求項１に記載した発明によれば、カードがカード収納部に収納されている状態で、カード収納部に収納されているカードを覆い且つ操作受付部を露出させる位置に表示部本体がスライド機構によりスライド移動されると、そのスライド移動された表示部本体によりカードがカード収納部に対して固定されるように構成したので、カードをカード装着端末に対して確実に固定することができる。これにより、例えば店員がカード装着端末を商品購入者に向けて暗証番号の入力を促すような使用形態においてカード装着端末を持ち替える場合であっても、カードがカード装着端末から落下することを防止することができ、使い勝手を高めることができる。
【０００７】
請求項２に記載した発明によれば、表示部本体がカード収納部側の端までスライド機構によりスライド移動されると、カード収納部に収納されているカードの一部を露出させるように表示部本体が当該カードを覆うように構成したので、カードをカード装着端末に対して確実に固定することができながら、しかも、例えば商品購入者がカードの一部を確認することができ、商品購入者に安心感を与えることができる。
【０００８】
請求項３に記載した発明によれば、カード収納部の底部に他の操作者の操作を受付ける他の操作受付部を設けたので、操作者の操作を受付けるのみでなく、他の操作者の操作をも受付けることができ、例えば店員の操作を受付ける操作受付部と商品購入者の操作を受付ける操作受付部とを分けることができ、操作に対する排他性を確保することができる。
【０００９】
請求項４に記載した発明によれば、操作受付部にタッチパネルを設け、表示部本体に当該表示部本体がスライド機構によりスライド移動されることに追従してタッチパネルの表面を拭取る拭取部を設けたので、例えば商品購入者が操作受付部を操作して暗証番号を入力した後に表示部本体をスライド移動させることにより、商品購入者が操作した痕跡を消去することができ、安全性を高めることができる。
【００１０】
請求項５に記載した発明によれば、接触式ＩＣカードがカード収納部に収納されているときに当該接触式ＩＣカードのカード側接触端子と接触する接触端子を設けたので、接触式ＩＣカードのカード情報を読取ることができ、しかも、接触式ＩＣカードをカード装着端末に対して確実に固定することができる。
【００１１】
請求項６に記載した発明によれば、非接触式ＩＣカードがカード収納部に収納されているときに当該非接触式ＩＣカードと無線通信可能な範囲に配置されているアンテナを設けたので、非接触式ＩＣカードのカード情報を読取ることができ、しかも、非接触式ＩＣカードをカード装着端末に対して確実に固定することができる。
【００１２】
請求項７に記載した発明によれば、磁気カードがカード収納部に収納されているときに表示部本体がスライド機構によりスライド移動されることに追従して当該磁気カードの磁気記録部を走査する磁気ヘッドを設けたので、磁気カードのカード情報を読取ることができ、しかも、磁気カードをカード装着端末に対して確実に固定することができる。
【００１３】
請求項８に記載した発明によれば、カード収納部の底部に凹部を形成したので、カード収納部に収納されているカードを上側から凹部を避けた部位で押圧することにより、カード収納部からカードを容易に取出すことができる。
【００１４】
請求項９に記載した発明によれば、カード収納部の底部に端末本体の材質よりも低い反発特性を有する低反発素材を設けたので、カードをカード収納部に確実に収納することができる。
【００１５】
請求項１０に記載した発明によれば、カード収納部の底部にカード収納部に収納されているカードの低反発素材側への沈み込みを防止する支持部材が設けたので、カードが低反発素材側に沈み込むことを防止することができ、カードとカード収納部との間に余計な隙間が発生してガタが発生することを防止することができる。
【００１６】
請求項１１に記載した発明によれば、カード収納部に収納されているカードが不正である旨を不正判定手段が判定すると、カード収納部に収納されているカードを覆う位置からの表示部本体のスライド移動を移動規制手段が規制するように構成したので、不正である旨を判定されたカードのカード収納部からの取出しを禁止することができ、その不正である旨を判定されたカードによる不正行為の再発を防止することができる。
【００１７】
請求項１２に記載した発明によれば、カード収納部に収納されているカードが読込み中または書込み中である旨を読書判定手段が判定すると、カード収納部に収納されているカードを覆う位置からの表示部本体のスライド移動を移動規制手段が規制するように構成したので、読込み中または書込み中である旨を判定されたカードのカード収納部からの取出しを禁止することができ、その読込み中または書込み中である旨を判定されたカードの読込みまたは書込みデータの消失や破壊を防止することができる。
【発明を実施するための最良の形態】
【００１８】
（第１の実施形態）
以下、本発明を、決済を目的としてカードを装着するカード装着端末に適用した第１の実施形態について、図１ないし図６を参照して説明する。尚、本実施形態でいうカードとは、例えばＩＳＯ，ＪＩＳによりサイズが規定されているクレジットカードやキャッシュカードであることを前提として説明する。また、商品購入者が商品を購入する際に店員がカード装着端末を操作して決済する場合を説明する。
【００１９】
図１は、カード装着端末の縦断側面図及び平面図を示している。カード装着端末１は、矩形形状の端末本体２と平板形状の表示部本体３とが組み合わされ、表示部本体３が端末本体２の表面部２ａを長手方向に沿ってスライド移動可能に構成されている。端末本体２は、その表面部２ａに操作者（店員及び商品購入者）が操作する複数のキー群（数字キーや確定キーなど）が配列されてなるキー入力部４（本発明でいう操作受付部）が配置されていると共に、商品購入者が所有するカード１００（図２参照）を収納するカード収納部５が凹状に形成されている。
【００２０】
カード収納部５の長手方向（表示部本体３のスライド移動方向）の長さ寸法（図１中「ａ１」にて示す）はカード１００の長手方向の長さ寸法よりも僅かに大きく形成されており、カード収納部５の長手方向と対角する対角方向の長さ寸法（図１中「ａ２」にて示す）はカード１００の長手方向と対角する対角方向の長さ寸法よりも僅かに大きく形成されている。また、カード収納部５の深さ寸法（図１中「ａ３」にて示す）はカード１００の厚さ寸法よりも僅かに大きく形成されている。すなわち、カード１００がカード収納部５に収納されている状態では、前後左右方向及び深さ方向に僅かな隙間を発生するのみであり、カード１００の表面部と端末本体２の表面部２ａとは略面一となる。
【００２１】
カード収納部５の底部には複数個の接触端子６が配置されており、接触端子６はカード１００が接触式ＩＣカードであるときに当該接触式ＩＣカードに配置されているカード側接触端子と接触する。また、カード収納部５の下方にはコイルアンテナ７（本発明でいうアンテナ）が内蔵されており、コイルアンテナ７はカード１００が非接触式ＩＣカードであるときに当該非接触式ＩＣカードに内蔵されているアンテナと電波を送受信する。
【００２２】
表示部本体３は、その表面部３ａに液晶ディスプレイ（ＬＣＤ）８が配設されていると共に裏面部３ｂに磁気ヘッド９が配設されている。磁気ヘッド９はバネ１０により下方側（端末本体２側）に付勢されており、カード１００が磁気カードであるときに表示部本体３がスライド移動されることに伴って当該磁気カードの磁気記録部を走査する。つまり、カード装着端末１は、接触式ＩＣカード、非接触式ＩＣカード及び磁気カードのいずれにも対応している。
【００２３】
表示部本体３は、図２に示すように、端末本体２の前端（図２では左端）から後端（図２では右端）まで端末本体２の表面部２ａをスライド移動可能となっている。この場合、表示部本体３が端末本体２の前端までスライド移動された状態（図２（ａ）に示す状態）では、表示部本体３がカード収納部５の全体を覆ってカード収納部５に収納されているカード１００が表示部本体３により固定されると共に、キー入力部４の全体が露出されるようになっている。一方、表示部本体３が端末本体２の後端までスライド移動された状態（図２（ｂ）に示す状態）では、表示部本体３がキー入力部４の全体を覆うと共に、カード収納部５の全体が露出されてカード１００が着脱可能となっている。すなわち、操作者は、表示部本体３を端末本体２の前端までスライド移動させることにより、キー入力部４を操作することができ、一方、表示部本体３を端末本体２の後端までスライド移動させることにより、カード１００を着脱することができる。
【００２４】
この場合、表示部本体３が端末本体２の前端までスライド移動された状態及び表示部本体３が端末本体２の後端までスライド移動された状態では、例えば凹凸機構（図示せず）により表示部本体３が端末本体２に対してある程度の保持力で機械的に保持されるようになっており、操作者は当該保持力を超える引力で表示部本体３を引くことでスライド移動可能となるように構成されている。
【００２５】
図３は、表示部本体３を端末本体２に対してスライド移動させるスライド機構１１を概略的に示している。表示部本体３側にはレール部１２が長手方向に沿って形成されていると共に、端末本体２側には溝部１３が長手方向に沿って形成されており、レール部１２が溝部１３内を移動することにより、表示部本体３が端末本体２に対してスライド移動される。また、端末本体２側には長手方向から見て左右対称に一対のソレノイド１４が内蔵されていると共に（図３では一方のソレノイド１４を示す）、表示部本体３側には長手方向から見て左右対称に一対の穴部１５が形成されており（図３では一方の穴部１５を示す）、ソレノイド１４のプランジャ１６の先端部１６ａが穴部１５に挿入されていない状態では表示部本体３の端末本体２に対するスライド移動が許可され、一方、ソレノイド１４のプランジャ１６の先端部１６ａが穴部１５に挿入されている状態ではプランジャ１６の先端部１６ａがストッパとして機能して表示部本体３の端末本体２に対するスライド移動が禁止される。
【００２６】
図４は、カード装着端末１の電気的な構成を機能ブロック図で示している。ＣＰＵ１７は、カード装着端末１の動作全般を制御するもので、そのＣＰＵ１７には、作業記憶領域として機能するＲＡＭ１８、制御プログラム及び重要度の高いデータなどを記憶するＲＯＭ１９、外部と通信する通信部２０、上記したキー入力部４、バーコードを読取るバーコード読取部２１、動作電源を制御する電源部２２、上記したソレノイド１４の動作を制御するロック制御部２３、端末本体２の前端に設けられている前端センサ２４からの検知信号及び端末本体２の後端に設けられている後端センサ２５からの検知信号に基づいて表示部本体３の位置を判定する表示部本体位置判定部２６、表示部本体３の液晶ディスプレイ８の描画を制御する描画制御部２７、磁気ヘッド９から入力した磁気データを読取る磁気データ読取部２８、接触式ＩＣカードとの間で接触端子６を介してデータ送受信を行う接触式ＩＣカード送受信部２９、非接触式ＩＣカードとの間でコイルアンテナ７及びアナログ回路３０を介してデータ送受信を行う非接触式ＩＣカード送受信部３１が接続されている。この場合、磁気データ読取部２８、ＩＣカード送受信部２９及びＩＣカード送受信部３１は本発明でいうカード情報読取手段である。
【００２７】
ＣＰＵ１７は、前端センサ２４からの検知信号により表示部本体３が端末本体２の前端までスライド移動されている、つまり、カード１００が表示部本体３により固定されているときに、磁気データ読取部２８による磁気データの読取結果、接触式ＩＣカード送受信部２９によるデータの送受信結果或いは非接触式ＩＣカード送受信部３１によるデータの送受信結果を解析することにより、カード１００が不正であるか否かを判定する機能及びカード１００が読込み中または書込み中であるか否かを判定する機能を有しており、カード１００が不正である旨或いはカード１００が読込み中または書込み中である旨を判定すると、ロック制御部２３によりソレノイド１４を制御し、これ以降の表示部本体３の端末本体２に対するスライド移動を禁止させる。つまり、ＣＰＵ１７は本発明でいう不正判定手段及び読書判定手段であり、ソレノイド１４及びロック制御部２３は本発明でいう移動規制手段である。
【００２８】
次に、上記した構成の作用について、図５を参照して説明する。カード装着端末１の使用形態としては例えば店員が商品購入者からカードを預かって決済する場合があり、その場合、店員は以下の手順を行うことになる。
【００２９】
最初に、店員は、表示部本体３を端末本体２の前端までスライド移動させた状態でキー入力部４を操作して必要事項（商品代金や支払い方法など）を入力する。この場合、店員は、購入する商品に添付されているラベルに印刷されているバーコードを読取って必要事項を入力しても良い。次いで、店員は、商品購入者からカード１００を預かり、商品購入者から預かったカード１００をカード収納部５に収納するために表示部本体３を端末本体２の後端側まで一旦スライド移動させる。そして、店員は、商品購入者から預かったカード１００をカード収納部５に収納し、表示部本体３を端末本体２の前端側までスライド移動させ、カード収納部５に収納したカード１００を表示部本体３により覆って固定する。
【００３０】
次いで、店員は、カード装着端末１を持ち替えて商品購入者に向けて暗証番号の入力を促し、商品購入者が暗証番号を入力した後に、カード装着端末１を持ち替えて自分に向け、例えば液晶ディスプレイ８の表示情報により商品購入者が入力した暗証番号が正であることを確認した後に、表示部本体３を端末本体２の後端側まで再度スライド移動させ、カード１００をカード収納部５から取出して商品購入者に返す。
【００３１】
このように店員が一連の手順を行うことに追従してＣＰＵ１７が行う処理を以下に説明する。尚、ここでは、商品購入者が所有するカード１００が、接触式ＩＣカード、非接触式ＩＣカード及び磁気カードの全ての機能を有するカードであることを前提として説明する。
【００３２】
ＣＰＵ１７は、初期状態では店員向け表示画面（例えば事業者、担当者、売り場などの各種情報を表示する表示画面）を液晶ディスプレイ８に表示させており（ステップＳ１）、店員が必要事項（商品代金や支払い方法など）を入力したか否かを監視している（ステップＳ２）。さて、ＣＰＵ１７は、商品購入者が商品を購入する際に店員が必要事項を入力した旨を判定すると（ステップＳ２にて「ＹＥＳ」）、店員が商品購入者から預かったカード１００がカード収納部５に収納されて表示部本体３が端末本体２の前端までスライド移動されたか否かを判定する（ステップＳ３）。
【００３３】
次いで、ＣＰＵ１７は、前端センサ２４からの検知信号に基づいて表示部本体３が端末本体２の前端までスライド移動された旨を判定すると（ステップＳ３にて「ＹＥＳ」）、接触式ＩＣカード送受信部２９による接触式のデータ通信を行い（ステップＳ４）、非接触式ＩＣカード送受信部３１による非接触式のデータ通信を行い（ステップＳ５）、表示部本体３が端末本体２の前端までスライド移動されたことに追従して磁気ヘッド９がカード１００から読取ったデータ、接触式ＩＣカード送受信部２９が接触式のデータ通信を行ってカード１００から受信したデータ、非接触式ＩＣカード送受信部３１が非接触式のデータ通信を行ってカード１００から受信したデータ（例えばカード所有者（通常は商品購入者と一致する）の氏名、カードの有効期限など）を記憶する（ステップＳ６）。
【００３４】
次いで、ＣＰＵ１７は、ロック制御部２３を制御し、ソレノイド１４のプランジャ１６の先端部１６ａを穴部１５に挿入させて表示部本体３の端末本体２に対するスライド移動を禁止させ、表示部本体３をロック状態にさせ（ステップＳ７）、商品購入者向け表示画面（例えば商品購入者の氏名、商品購入者が購入する商品コード、購入に応じて付与する点数などの各種情報を表示する表示画面）を液晶ディスプレイ８に表示させる（ステップＳ８）。
【００３５】
次いで、ＣＰＵ１７は、商品購入者が暗証番号を入力したか否かを監視し（ステップＳ９）、商品購入者が暗証番号を入力した旨を判定すると（ステップＳ９にて「ＹＥＳ」）、その商品購入者が入力した暗証番号の正否を判定する（ステップＳ１０）。この場合、ＣＰＵ１７は、例えば商品購入者が入力した暗証番号を通信回線を通じてセンター管理装置（図示せず）に送信させ、商品購入者がカード１００を作成する際に登録した暗証番号と照合させてセンター管理装置から照合結果を受信することにより、暗証番号の正否を判定する。
【００３６】
ここで、ＣＰＵ１７は、その商品購入者が入力した暗証番号が正である旨を判定すると（ステップＳ１０にて「ＹＥＳ」）、例えばクレジット払いであれば商品購入者が名義人である預金口座の預金残高が商品の購入金額よりも多い（足りている）ことを条件として決済処理を行う（ステップＳ１１）。そして、ＣＰＵ１７は、ロック制御部２３を制御し、ソレノイド１４のプランジャ１６の先端部１６ａの穴部１５への挿入を解除させて表示部本体３の端末本体２に対するスライド移動を許可させ、つまり、表示部本体３をアンロック状態にさせる（ステップＳ１２）。
【００３７】
そして、ＣＰＵ１７は、表示部本体３が端末本体２の後端までスライド移動されたか否かを判定し（ステップＳ１３）、後端センサ２５からの検知信号に基づいて表示部本体３が端末本体２の後端までスライド移動された旨を判定すると（ステップＳ１３にて「ＹＥＳ」）、決済完了を記録したレシートをレシート発行部（図示せず）から発行させ（ステップＳ１４）、一連の処理を終了する。
【００３８】
一方、ＣＰＵ１７は、その商品購入者が入力した暗証番号が否である旨を判定すると（ステップＳ１０にて「ＮＯ」）、決済処理を行うことなく、表示部本体３をアンロック状態にさせることもなく、例えばエラー表示画面を液晶ディスプレイ８に表示させるなどのエラー処理を行い（ステップＳ１５）、一連の処理を終了する。
【００３９】
ところで、上記した構成において、表示部本体３が端末本体２の前端までスライド移動されたときにカード１００の全体を覆うのではなくカード１００の一部を露出させるようにカード１００を覆うように構成しても良い。また、キー入力部４がタッチパネルにより構成されており、表示部本体３がスライド移動されることに追従してタッチパネルの表面を拭取る拭取部が表示部本体３に配設されていても良い。
【００４０】
また、カード収納部５は以下のように構成されていても良い。すなわち、図６（ａ）に示すように、カード収納部５の底部に凹部３２が形成されていても良く、また、図６（ｂ）に示すように、カード収納部５の底部に端末本体２の材質よりも低い反発特性を有する低反発素材３３が配置されていても良く、さらに、図６（ｃ）に示すように、カード収納部５の底部にカード１００の低反発素材３３側への沈み込みを防止する支持部材３４が設けられていても良い。
【００４１】
以上に説明したように第１の実施形態によれば、カード装着端末１において、表示部本体３が端末本体２に対してスライド移動可能に構成し、表示部本体３が端末本体２の前端までスライド移動された状態でカード１００が表示部本体３によりカード収納部５に対して固定されるように構成したので、カード１００をカード装着端末１に対して確実に固定することができ、店員がカード装着端末１を持ち替える場合であっても、カード１００がカード装着端末１から落下することを防止することができ、使い勝手を高めることができる。
【００４２】
また、接触式ＩＣカードの接触端子と接触する接触端子６、非接触式ＩＣカードと無線通信するコイルアンテナ７、磁気カードの磁気記録部を走査する磁気ヘッド９を設けたので、接触式ＩＣカード、非接触式ＩＣカード及び磁気カードのいずれからもカード情報を読取ることができる。
【００４３】
また、カード収納部５に収納されているカード１００が不正である旨を判定すると、カード収納部５に収納されているカード１００を覆う位置からの表示部本体３のスライド移動を規制するように構成したので、不正である旨を判定されたカード１００のカード収納部５からの取出しを禁止することができ、その不正である旨を判定されたカード１００による不正行為の再発を防止することができる。
【００４４】
また、カード収納部５に収納されているカード１００が読込み中または書込み中である旨を判定すると、この場合も、カード収納部５に収納されているカード１００を覆う位置からの表示部本体３のスライド移動を規制するように構成したので、読込み中または書込み中である旨を判定されたカード１００のカード収納部５からの取出しを禁止することができ、その読込み中または書込み中である旨を判定されたカード１００の読込みまたは書込みデータの消失や破壊を防止することができる。
【００４５】
また、表示部本体３が端末本体２の前端までスライド移動されたときに、カード１００の一部を露出させるように表示部本体３がカード１００を覆うように構成すれば、商品購入者がカード１００の一部を確認することができ、商品購入者に安心感を与えることができる。
【００４６】
また、表示部本体３がスライド移動されることに追従してキー入力部４の表面を拭取る拭取部を表示部本体３に設ければ、商品購入者がキー入力部４を操作して暗証番号を入力した後に表示部本体３をスライド移動させることにより、商品購入者が操作した痕跡を消去することができ、安全性を高めることができる。
【００４７】
また、カード収納部５の底部に凹部３２を形成すれば、カード収納部５に収納されているカード１００を上側から凹部３２を避けた部位で押圧することにより、カード収納部５からカード１００を容易に取出すことができる。また、カード収納部５の底部に端末本体２の材質よりも低い反発特性を有する低反発素材３３を設ければ、カード１００をカード収納部５に確実に収納することができる。さらに、カード収納部５の底部にカード１００の低反発素材３３側への沈み込みを防止する支持部材３４を設ければ、カード１００が低反発素材側に沈み込むことを防止することができる。
【００４８】
（第２の実施形態）
次に、本発明の第２の実施形態について、図７及び図８を参照して説明する。尚、上記した第１の実施形態と同一部分については説明を省略し、異なる部分について説明する。上記した第１の実施形態は、１つのキー入力部４が２人の操作者（店員及び商品購入者）により共有で操作される構成であるが、この第２の実施形態は、２つのキー入力部が独立して設けられ、２つのキー入力部が２人の操作者（店員及び商品購入者）により個別で操作される構成である。
【００４９】
すなわち、カード装着端末４１は、上記した第１の実施形態と同様にして、矩形形状の端末本体４２と平板形状の表示部本体４３とが組み合わされ、表示部本体４３が端末本体４２の表面部４２ａを長手方向に沿ってスライド移動可能に構成されている。端末本体４２は、その表面部４２ａに操作者が操作する複数のキー（数字キーや確定キーなど）が配列されてなるキー入力部４４（本発明でいう操作受付部）が配置されていると共に、カード１００を収納するカード収納部４５が凹状に形成されており、さらに本実施形態では、カード収納部４５の底部にも操作者が操作する複数のキー群（数字キーや確定キーなど）が配列されてなるキー入力部４６（本発明でいう他の操作受付部）が配置されている。
【００５０】
この場合、表示部本体４３が端末本体４２の前端（図７では左端）までスライド移動された状態では、表示部本体４３がキー入力部４４の全体を覆うと共にカード収納部４５の全体が露出され、一方、表示部本体４３が端末本体４２の後端（図７では右端）までスライド移動された状態では、表示部本体４３がカード収納部４５の全体を覆うと共にキー入力部４４の全体が露出される。つまり、カード収納部４５（キー入力部４６）側が店員側となっており、店員はキー入力部４６を操作して必要事項を入力し、一方、キー入力部４４側が商品購入者側となっており、商品購入者はキー入力部４４を操作して暗証番号を入力する。
【００５１】
そして、本実施形態では、図８に示すように、表示部本体４３が端末本体４２の前端までスライド移動された状態では店員向け表示画面を店員側から見易いように表示し、一方、表示部本体４３が端末本体４２の後端までスライド移動される途中で表示画面の向きを反転することにより、表示部本体４３が端末本体４２の後端までスライド移動された状態では商品購入者向け表示画面を商品購入者側から見易いように表示する。尚、端末本体４２には、上記した第１の実施形態で説明した接触端子６及びコイルアンテナ７が配置されており、表示部本体４３には、上記した第１の実施形態で説明した液晶ディスプレイ８、磁気ヘッド９及びバネ１０が配置されている。
【００５２】
この場合も、カード装着端末４１の使用形態としては例えば店員が商品購入者からカードを預かって決済する場合があり、店員は以下の手順を行うことになる。
最初に、店員は、表示部本体４３を端末本体４２の前端までスライド移動させた状態でキー入力部４６を操作して必要事項（商品代金や支払い方法など）を入力する。次いで、店員は、商品購入者からカード１００を預かり、商品購入者から預かったカード１００をカード収納部４５に収納し、表示部本体４３を端末本体４２の後端側にスライド移動させ、カード収納部４５に収納したカード１００を表示部本体４３により覆って固定する。
【００５３】
次いで、店員は、本実施形態ではカード装着端末４１を持ち替えることなく暗証番号の入力を促し、商品購入者が暗証番号を入力した後に、例えば液晶ディスプレイ８の表示情報により商品購入者が入力した暗証番号が正であることを確認した後に、表示部本体４３を端末本体４２の前端側にスライド移動させ、カード１００をカード収納部４５から取出して商品購入者に返す。
【００５４】
以上に説明したように第２の実施形態によれば、カード装着端末４１において、表示部本体４３が端末本体４２に対してスライド移動可能に構成し、表示部本体４３が端末本体４２の後端までスライド移動された状態でカード１００が表示部本体４３によりカード収納部４５に対して固定されるように構成したので、カード１００をカード装着端末４１に対して確実に固定することができ、カード１００がカード装着端末４１から落下することを防止することができ、使い勝手を高めることができる。また、この場合は、店員が操作するキー入力部４６と商品購入者が操作するキー入力部４４とを別途に設けたので、使い勝手をより一層高めることができる。
【００５５】
（その他の実施形態）
本発明は、上記した実施形態にのみ限定されるものではなく、以下のように変形または拡張することができる。
決済を用途とするカード装着端末に適用する構成に限らず、例えばカード装着端末が機器に接続されており、その機器の使用許可の可否判断（認証判断）を用途とするカード装着端末に適用する構成であっても良い。
カードは、接触式ＩＣカード、非接触式ＩＣカード及び磁気カードのうち少なくともいずれかの機能を有していれば良い。
スライド機構は、表示部本体側にレール部が形成されていると共に端末本体側に溝部が形成されている構成に限らず、表示部本体側に溝部が形成されていると共に端末本体側にレール部が形成されている構成であっても良い。
【図面の簡単な説明】
【００５６】
【図１】本発明の第１の実施形態を示すもので、カード装着端末の構成を概略的に示す縦断側面図及び平面図
【図２】表示部本体の端末本体に対するスライド移動の態様を概略的に示す図
【図３】スライド機構の構成を概略的に示す図
【図４】電気的な構成を示す機能ブロック図
【図５】制御内容を示すフローチャート
【図６】カード収納部周辺の縦断側面図
【図７】本発明の第２の実施形態を示すもので、カード装着端末の構成を概略的に示す縦断側面図及び平面図
【図８】図２相当図
【符号の説明】
【００５７】
図面中、１はカード装着端末、２は端末本体、２ａは表面部、３は表示部本体、４はキー入力部（操作受付部）、５はカード収納部、６は接触端子、７はコイルアンテナ（アンテナ）、９は磁気ヘッド、１１はスライド機構、１４はソレノイド（移動規制手段）、１７はＣＰＵ（不正判定手段、読書判定手段）、２３はロック制御部（移動規制手段）、２８は磁気データ読取部（カード情報読取手段）、２９は接触式ＩＣカード送受信部（カード情報読取手段）、３１は非接触式ＩＣカード送受信部（カード情報読取手段）、３２は凹部、３３は低反発素材、３４は支持部材、４１はカード装着端末、４２は端末本体、４２ａは表面部、４３は表示部本体、４４はキー入力部（操作受付部）、４５はカード収納部、４６はキー入力部（他の操作受付部）、１００はカードである。
【図１】
2008305067.tif 000003
【図２】
2008305067.tif 000004
【図３】
2008305067.tif 000005
【図４】
2008305067.tif 000006
【図５】
2008305067.tif 000007
【図６】
2008305067.tif 000008
【図７】
2008305067.tif 000009
【図８】
2008305067.tif 000010